【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
無端状の第一の回転体と、
前記第一の回転体に圧接される第二の回転体であって、画像を担持した記録材を前記第一，第二の回転体の圧接部で挟持搬送させる第二の回転体と、
電力供給を受けて、前記第一の回転体の局所的な部位の温度を上昇させる温度上昇部と、
前記第一の回転体の回転方向に関して前記温度上昇部により温度が上昇させられる部位とは異なる部位の温度を検知する温度検知素子と、
前記温度上昇手段に供給する電力を制御する制御部と、
電源電圧を検出する電源電圧検出部と、
を有し、
前記制御手段は、前記温度検知素子によって検知された温度に基づいて、前記温度上昇部に供給する電力をフィードバック制御するとともに、当該定着装置を立ち上げるとき、前記温度検出素子の検出温度が目標温度に到達するタイミング近傍又は記録材の前記圧接部への突入タイミング近傍で、一時的に、前記電源電圧検出部による検出に基づいて前記温度上昇部に供給する電力を制御する定着装置。
【請求項２】
前記電源電圧検出部は、所定の通電量で通電したときに前記温度検知素子によって検知される温度の昇温速度に基づいて、電源電圧を検出する請求項１に記載の定着装置。
【請求項３】
さらに、前記圧接部近傍に設けられる第二温度検知素子を有し、前記電源電圧検出部は、所定の通電量で通電したときに前記第二温度検知素子によって検知される温度の昇温速度に基づいて、電源電圧を検出する請求項１又は２に記載の定着装置。
【請求項４】
前記温度上昇部は、圧接部近傍に設けられ、通電により発熱するヒータ、又は通電により磁界を発生させることにより、前記第一の回転体に渦電流を発生させるコイルを有する請求項１乃至３のいずれかに記載の定着装置。
【請求項５】
当該定着装置を立ち上げるとき、前記温度検出素子の検出温度が目標温度に到達するタイミング近傍又は記録材の前記圧接部への突入タイミング近傍で、一時的に、前記電源電圧検出部による検出に基づいて前記温度上昇手段に供給される電力に関する情報を記憶する不揮発性メモリを有する請求項１乃至４のいずれかに記載の定着装置。
【請求項６】
さらに、当該定着装置の蓄熱状況を判断する判断部を有し、前記制御部は、当該定着装置を立ち上げるとき、前記温度検出素子の検出温度が目標温度に到達するタイミング近傍又は記録材の前記圧接部への突入タイミング近傍で、一時的に、前記判断部による判断結果、及び前記電源電圧検出部の検出結果に基づいて、前記温度上昇部に供給すべき電力を制御する請求項１乃至５のいずれかに記載の定着装置。
【請求項７】
さらに、記録材の種類を判断する判断部を有し、前記制御部は、当該定着装置を立ち上げるとき、前記温度検出素子の検出温度が目標温度に到達するタイミング近傍又は記録材の前記圧接部への突入タイミング近傍で、一時的に、前記判断部による判断結果、及び前記電源電圧検出部の検出結果に基づいて、前記温度上昇部に供給すべき電力を制御する請求項１乃至６のいずれかに記載の定着装置。
【請求項８】
前記第一の回転体の外周の移動速度をＶ、前記圧接部から温度検知位置までの長さをａ、前記第一の回転体の外周長をＬとしたときに、前記一時的な制御が行われる時間ｔは、ｔ≦（ａ＋Ｌ）／Ｖで表される請求項１乃至７のいずれかに記載の定着装置。
【請求項９】
記録材上に画像を形成する画像形成手段と、記録材に画像を定着する定着手段を有し、前記定着手段が請求項１乃至７のいずれかに記載された定着装置である画像形成装置。
【手続補正２】
【補正対象書類名】明細書
【補正対象項目名】００４５
【補正方法】削除
【補正の内容】
【手続補正３】
【補正対象書類名】明細書
【補正対象項目名】００４６
【補正方法】変更
【補正の内容】
【００４６】
（１）無端状の第一の回転体と、
前記第一の回転体に圧接される第二の回転体であって、画像を担持した記録材を前記第一，第二の回転体の圧接部で挟持搬送させる第二の回転体と、
電力供給を受けて、前記第一の回転体の局所的な部位の温度を上昇させる温度上昇部と、
前記第一の回転体の回転方向に関して前記温度上昇部により温度が上昇させられる部位とは異なる部位の温度を検知する温度検知素子と、
前記温度上昇手段に供給する電力を制御する制御部と、
電源電圧を検出する電源電圧検出部と、
を有し、
前記制御手段は、前記温度検知素子によって検知された温度に基づいて、前記温度上昇部に供給する電力をフィードバック制御するとともに、当該定着装置を立ち上げるとき、前記温度検出素子の検出温度が目標温度に到達するタイミング近傍又は記録材の前記圧接部への突入タイミング近傍で、一時的に、前記電源電圧検出部による検出に基づいて前記温度上昇部に供給する電力を制御する定着装置。
【手続補正４】
【補正対象書類名】明細書
【補正対象項目名】００４７
【補正方法】変更
【補正の内容】
【００４７】
（２）前記電源電圧検出部は、所定の通電量で通電したときに前記温度検知素子によって検知される温度の昇温速度に基づいて、電源電圧を検出する（１）に記載の定着装置。
（３）さらに、前記圧接部近傍に設けられる第二温度検知素子を有し、前記電源電圧検出部は、所定の通電量で通電したときに前記第二温度検知素子によって検知される温度の昇温速度に基づいて、電源電圧を検出する（１）又は（２）に記載の定着装置。
【手続補正５】
【補正対象書類名】明細書
【補正対象項目名】００４８
【補正方法】変更
【補正の内容】
【００４８】
（４）前記温度上昇部は、圧接部近傍に設けられ、通電により発熱するヒータ、又は通電により磁界を発生させることにより、前記第一の回転体に渦電流を発生させるコイルを有する（１）乃至（３）のいずれかに記載の定着装置。
【手続補正６】
【補正対象書類名】明細書
【補正対象項目名】００４９
【補正方法】変更
【補正の内容】
【００４９】
（５）当該定着装置を立ち上げるとき、前記温度検出素子の検出温度が目標温度に到達するタイミング近傍又は記録材の前記圧接部への突入タイミング近傍で、一時的に、前記電源電圧検出部による検出に基づいて前記温度上昇手段に供給される電力に関する情報を記憶する不揮発性メモリを有する（１）乃至（４）のいずれかに記載の定着装置。
【手続補正７】
【補正対象書類名】明細書
【補正対象項目名】００５０
【補正方法】削除
【補正の内容】
【手続補正８】
【補正対象書類名】明細書
【補正対象項目名】００５１
【補正方法】変更
【補正の内容】
【００５１】
（６）さらに、当該定着装置の蓄熱状況を判断する判断部を有し、前記制御部は、当該定着装置を立ち上げるとき、前記温度検出素子の検出温度が目標温度に到達するタイミング近傍又は記録材の前記圧接部への突入タイミング近傍で、一時的に、前記判断部による判断結果、及び前記電源電圧検出部の検出結果に基づいて、前記温度上昇部に供給すべき電力を制御する（１）乃至（５）のいずれかに記載の定着装置。
【手続補正９】
【補正対象書類名】明細書
【補正対象項目名】００５２
【補正方法】変更
【補正の内容】
【００５２】
（７）さらに、記録材の種類を判断する判断部を有し、前記制御部は、当該定着装置を立ち上げるとき、前記温度検出素子の検出温度が目標温度に到達するタイミング近傍又は記録材の前記圧接部への突入タイミング近傍で、一時的に、前記判断部による判断結果、及び前記電源電圧検出部の検出結果に基づいて、前記温度上昇部に供給すべき電力を制御する（１）乃至（６）のいずれかに記載の定着装置。
【手続補正１０】
【補正対象書類名】明細書
【補正対象項目名】００５３
【補正方法】変更
【補正の内容】
【００５３】
（８）前記第一の回転体の外周の移動速度をＶ、前記圧接部から温度検知位置までの長さをａ、前記第一の回転体の外周長をＬとしたときに、前記一時的な制御が行われる時間ｔは、ｔ≦（ａ＋Ｌ）／Ｖで表される（１）乃至（７）のいずれかに記載の定着装置。
（９）記録材上に画像を形成する画像形成手段と、記録材に画像を定着する定着手段を有し、前記定着手段が（１）乃至（７）のいずれかに記載された定着装置である画像形成装置。
【手続補正１１】
【補正対象書類名】明細書
【補正対象項目名】００５４
【補正方法】削除
【補正の内容】
【手続補正１２】
【補正対象書類名】明細書
【補正対象項目名】００５５
【補正方法】削除
【補正の内容】
【手続補正１３】
【補正対象書類名】明細書
【補正対象項目名】００５６
【補正方法】削除
【補正の内容】
【手続補正１４】
【補正対象書類名】明細書
【補正対象項目名】００５７
【補正方法】削除
【補正の内容】
【手続補正１５】
【補正対象書類名】明細書
【補正対象項目名】００５８
【補正方法】削除
【補正の内容】
【手続補正１６】
【補正対象書類名】明細書
【補正対象項目名】００５９
【補正方法】削除
【補正の内容】
【手続補正１７】
【補正対象書類名】明細書
【補正対象項目名】００６０
【補正方法】削除
【補正の内容】
【手続補正１８】
【補正対象書類名】明細書
【補正対象項目名】００６１
【補正方法】削除
【補正の内容】
【手続補正１９】
【補正対象書類名】明細書
【補正対象項目名】００６２
【補正方法】変更
【補正の内容】
【００６２】
（１）〜（３）の発明によれば、入力電圧のばらつきや定着ヒータ（加熱体）の抵抗値のばらつきによらず、定着部材の正確な温調制御を行い、その結果画像不良が無く、グロスなどの印字品質ムラのない高画質な画像を得られ、また、低消費電力かつ耐久性が高く高寿命な定着装置を提供することができる。
【手続補正２０】
【補正対象書類名】明細書
【補正対象項目名】００６３
【補正方法】削除
【補正の内容】
【手続補正２１】
【補正対象書類名】明細書
【補正対象項目名】００６６
【補正方法】削除
【補正の内容】
【手続補正２２】
【補正対象書類名】明細書
【補正対象項目名】００６７
【補正方法】変更
【補正の内容】
【００６７】
（６）の発明によれば、入力電圧のばらつきや定着ヒータの抵抗値のばらつきによらず、また、更に、定着装置の蓄熱具合によらず、記録材の突入時においても定着部材の正確な温調制御を行い、その結果画像不良が無く、グロスなどの印字品質ムラのない高画質な画像を得られ、また、低消費電力かつ耐久性が高く高寿命な定着装置を提供することができる。
【手続補正２３】
【補正対象書類名】明細書
【補正対象項目名】００６８
【補正方法】変更
【補正の内容】
【００６８】
（７）の発明によれば、入力電圧のばらつきや定着ヒータの抵抗値のばらつきによらず、また、更に、記録剤の種類によらず、記録材の突入時においても定着部材の正確な温調制御を行い、その結果画像不良が無く、グロスなどの印字品質ムラのない高画質な画像を得られ、また、低消費電力かつ耐久性が高く高寿命な定着装置を提供することができる。
【手続補正２４】
【補正対象書類名】明細書
【補正対象項目名】００６９
【補正方法】変更
【補正の内容】
【００６９】
（８）の発明によれば、入力電圧のばらつきや定着ヒータ（加熱体）の抵抗値のばらつきによらず、定着部材の更なる正確な温調制御を行い、その結果画像不良が無く、グロスなどの印字品質ムラのない高画質な画像を得られ、また、低消費電力かつ耐久性が高く高寿命な定着装置を提供することができる。
（９）の発明によれば、上記（１）〜（８）の何れかの発明の効果を有する定着装置を備えた画像形成装置を提供することができる。
【手続補正２５】
【補正対象書類名】明細書
【補正対象項目名】００７０
【補正方法】削除
【補正の内容】
【手続補正２６】
【補正対象書類名】明細書
【補正対象項目名】００７１
【補正方法】削除
【補正の内容】
【手続補正２７】
【補正対象書類名】明細書
【補正対象項目名】００７２
【補正方法】削除
【補正の内容】
【手続補正２８】
【補正対象書類名】明細書
【補正対象項目名】００７３
【補正方法】削除
【補正の内容】
【手続補正２９】
【補正対象書類名】明細書
【補正対象項目名】００７４
【補正方法】削除
【補正の内容】
【手続補正３０】
【補正対象書類名】明細書
【補正対象項目名】００７５
【補正方法】削除
【補正の内容】
【手続補正３１】
【補正対象書類名】明細書
【補正対象項目名】０１０２
【補正方法】変更
【補正の内容】
【０１０２】
メインサーミスタ１８、及びサブサーミスタ１９は、その出力がそれぞれＡ／Ｄコンバータを介して制御回路部（ＣＰＵ）２１に接続され、制御回路部２１は、メインサーミスタ１８、サブサーミスタ１９の出力をもとに、定着ヒータ１６の温調制御内容を決定し、電力供給部（加熱手段）としてのヒータ駆動回路部２８（図２・図４）によって定着ヒータ１６への通電を制御する。
【手続補正３２】
【補正対象書類名】明細書
【補正対象項目名】０１１４
【補正方法】変更
【補正の内容】
【０１１４】
５）定着ヒータ駆動回路部２８
上記のように、定着ヒータ１６の給電用電極部ｃ・ｄは給電コネクタ３０を介して定着ヒータ駆動回路部２８に接続されている。
【手続補正３３】
【補正対象書類名】明細書
【補正対象項目名】０１１５
【補正方法】変更
【補正の内容】
【０１１５】
定着ヒータ駆動回路部２８は、図には省略したけれども、交流電源、トライアック、ゼロクロス発生回路を有する。トライアックは制御回路部２１により制御される。トライアックは定着ヒータ１６の発熱抵抗体層ｂに対する通電・遮断を行う。
【手続補正３４】
【補正対象書類名】明細書
【補正対象項目名】０１１６
【補正方法】変更
【補正の内容】
【０１１６】
交流電源はゼロクロス発生回路を介して制御回路部２１にゼロクロス信号を送出する。制御回路部２１はこのゼロクロス信号を基にトライアックを制御する。このようにして定着ヒータ駆動回路部２８から定着ヒータ１６の発熱抵抗体層ｂに通電されることで、定着ヒータ１６の全体が急速昇温する。
【手続補正３５】
【補正対象書類名】明細書
【補正対象項目名】０１１７
【補正方法】変更
【補正の内容】
【０１１７】
定着ベルト２０の温度を検知するメインサーミスタ１８と定着ヒータ１６の温度を検知するサブサーミスタ１９の出力はそれぞれＡ／Ｄコンバータを介して制御回路部（ＣＰＵ）２１に取り込まれる。
【手続補正３６】
【補正対象書類名】明細書
【補正対象項目名】０１１８
【補正方法】変更
【補正の内容】
【０１１８】
制御回路部２１はメインサーミスタ１８からの定着ヒータ１６の温度情報をもとにトライアックにより定着ヒータ１６に通電するＡＣ電圧を位相、波数制御等により、ヒータ通電電力を制御して定着ヒータ１６の温度が所定の制御目標温度（設定温度）に維持されるように制御する。
【手続補正３７】
【補正対象書類名】明細書
【補正対象項目名】０１２１
【補正方法】変更
【補正の内容】
【０１２１】
すなわちメインサーミスタ１８の温度を制御回路部２１が２μｓｅｃごとに検知し、制御回路部２１内で所望の温調温度に制御するようにＰＩＤ制御にて定着ヒータ１６への電力供給量を決定する。たとえば電力の指定を５％刻みで行うには、一般に電源から供給される交流波形の１半波にたいして５％刻みの通電角を用いて行われる。通電角はゼロクロス発生回路６２にてゼロクロス信号を検知したときを起点にトライアックをＯＮするタイミングとして求められる。